(57)【要約】【課題】  高速運転中のユーザーの端末機への外部呼の接続を自動で遮断して、前記呼情報を保存し、低速運転時に、前記保存された呼情報をユーザーに通知する方法を提供する。【解決手段】  移動通信端末機の呼接続方法は、移動通信端末機の移動速度を判断する過程と、前記移動通信端末機が高速で移動中の場合、呼接続を遮断して呼情報のみを保存する過程と、前記保存された呼情報をユーザーに通知する過程と、を含む。本発明はまた、移動通信端末機の移動速度を判断して、所定速度以上で移動中の場合は相手の呼要求に対する接続を遮断して呼情報のみを保存し、前記移動通信端末機が所定速度未満で移動中のときに前記保存された情報をユーザーに通知することを特徴とする移動通信端末機の呼接続方法を提供する。【選択図】  図２
2006014300.tif 000002
【特許請求の範囲】
【請求項１】
移動通信端末機の移動速度を検出する過程と、
前記移動通信端末機が所定速度以上で所定時間移動中の場合、呼接続を遮断して呼情報を保存する過程と、
を含むことを特徴とする移動通信端末機の呼接続方法。
【請求項２】
前記移動通信端末機の移動速度が、所定時間の間発生するハンドオフの回数をカウントすることにより検出されることを特徴とする請求項１に記載の移動通信端末機の呼接続方法。
【請求項３】
前記ハンドオフが、隣接基地局の送信電力レベルの大きさがアクティブ基地局の送信電力レベルの大きさより３ｄＢ以上大きいときに発生することを特徴とする請求項２に記載の移動通信端末機の呼接続方法。
【請求項４】
前記移動通信端末機の移動速度が、所定時間のハンドオフ発生回数をカウントした値が予め設定された基準値以上の際、高速に判断され、基準値未満の際、低速に判断されることを特徴とする請求項１に記載の移動通信端末機の呼接続方法。
【請求項５】
前記呼接続の遮断が、１つのビット（Ｆｌａｇ）により実行されることを特徴とする請求項１に記載の移動通信端末機の呼接続方法。
【請求項６】
前記ビットが「１」とマークされると、前記呼接続が遮断されることを特徴とする請求項５に記載の移動通信端末機の呼接続方法。
【請求項７】
前記呼情報が、呼接続を要求した電話番号、呼要求時間などを含むことを特徴とする請求項１に記載の移動通信端末機の呼接続方法。
【請求項８】
前記保存された呼情報がユーザーに通知されると、呼接続の遮断が解除される過程をさらに含むことを特徴とする請求項１に記載の移動通信端末機の呼接続方法。
【請求項９】
前記呼接続の遮断の解除が、１つのビット（Ｆｌａｇ）により実行されることを特徴とする請求項８に記載の移動通信端末機の呼接続方法。
【請求項１０】
前記ビットが「０」とマークされると、前記呼接続の遮断が解除されることを特徴とする請求項９に記載の移動通信端末機の呼接続方法。
【請求項１１】
前記保存された呼情報をユーザーに通知する過程をさらに含むことを特徴とする請求項１に記載の移動通信端末機の呼接続方法。
【請求項１２】
前記呼情報が、前記移動通信端末機の移動によって発生するハンドオフの回数をカウントした値が、予め設定された基準値未満のときにユーザーに通知されることを特徴とする請求項１１に記載の移動通信端末機の呼接続方法。
【請求項１３】
移動通信端末機の移動速度を判断して、所定速度以上で移動中の場合は相手の呼要求に対する接続を遮断して呼情報のみを保存し、前記移動通信端末機が所定速度未満で移動中のときに前記保存された情報をユーザーに通知することを特徴とする移動通信端末機の呼接続方法。
【請求項１４】
前記相手の呼要求に対する接続が、所定時間に発生するハンドオフの回数をカウントして、前記カウントされた回数が予め設定された基準値以上の場合に自動で遮断されることを特徴とする請求項１３に記載の移動通信端末機の呼接続方法。
【請求項１５】
前記基準値が、ユーザーが設定して入力し得ることを特徴とする請求項１４に記載の移動通信端末機の呼接続方法。
【請求項１６】
前記ハンドオフが、隣接基地局の送信電力レベルの大きさがアクティブ基地局の送信電力レベルの大きさより３ｄＢ以上大きいときに発生することを特徴とする請求項１４に記載の移動通信端末機の呼接続方法。
【請求項１７】
前記呼接続の遮断が、１つのビット（Ｆｌａｇ）により実行されることを特徴とする請求項１４に記載の移動通信端末機の呼接続方法。
【請求項１８】
前記ビットが「１」とマークされると、前記呼接続が遮断されることを特徴とする請求項１７に記載の移動通信端末機の呼接続方法。
【請求項１９】
前記呼情報が、呼接続を要求した電話番号、呼要求時間などを含むことを特徴とする請求項１３に記載の移動通信端末機の呼接続方法。
【請求項２０】
前記保存された呼情報がユーザーに通知されると、呼接続の遮断が解除されることを特徴とする請求項１３に記載の移動通信端末機の呼接続方法。
【請求項２１】
前記呼接続の遮断の解除が、１つのビット（Ｆｌａｇ）により実行されることを特徴とする請求項２０に記載の移動通信端末機の呼接続方法。
【請求項２２】
前記ビットが「０」とマークされると、前記呼接続の遮断が解除されることを特徴とする請求項２１に記載の移動通信端末機の呼接続方法。
【請求項２３】
（ａ）移動通信端末機の移動によって所定時間に発生するハンドオフの回数をカウントする段階と、
（ｂ）前記ハンドオフの回数と予め設定された基準値とを比較する段階と、
（ｃ）前記ハンドオフの回数が前記予め設定された基準値以上の場合、外部の呼接続要求信号に対して呼接続を遮断する段階と、
（ｄ）前記呼接続の遮断中に外部の呼接続要求信号が受信されると、前記呼接続を遮断して該当呼情報を保存する段階と、
（ｅ）移動通信端末機の移動によって所定時間に発生するハンドオフの回数をカウントして予め設定された基準値と比較する段階と、
（ｆ）前記ハンドオフの回数が前記予め設定された基準値未満の場合、前記呼接続の遮断を解除する段階と、
（ｇ）前記呼接続の遮断を解除した後、前記保存された呼情報をユーザーに通知する段階と、
を含むことを特徴とする移動通信端末機の呼接続方法。
【請求項２４】
前記ハンドオフが、隣接基地局の送信電力レベルの大きさがアクティブ基地局の送信電力レベルの大きさより３ｄＢ以上大きいときに発生することを特徴とする請求項２３に記載の移動通信端末機の呼接続方法。
【請求項２５】
前記基準値が、ユーザーによって設定し得ることを特徴とする請求項２３に記載の移動通信端末機の呼接続方法。
【請求項２６】
前記基準値が、移動通信端末機のユーザーが移動通信ネットワークを走行する場合、前記移動通信端末機の移動速度が所定速度以上に維持される際の所定時間に発生するハンドオフの回数を示すことを特徴とする請求項２５に記載の移動通信端末機の呼接続方法。
【請求項２７】
前記（ｃ）段階で、
前記呼接続遮断が、１つのビット（Ｆｌａｇ）により実行されることを特徴とする請求項２３に記載の移動通信端末機の呼接続方法。
【請求項２８】
前記ビットが「１」とマークされると、前記呼接続が遮断されることを特徴とする請求項２７に記載の移動通信端末機の呼接続方法。
【請求項２９】
前記（ｄ）段階で、
前記呼情報が、呼接続を要求した電話番号並びに、呼要求時間などを含むことを特徴とする請求項２３に記載の移動通信端末機の呼接続方法。
【請求項３０】
前記（ｆ）段階で、
前記呼接続の遮断の解除が、１つのビット（Ｆｌａｇ）により実行されることを特徴とする請求項２３に記載の移動通信端末機の呼接続方法。
【請求項３１】
前記ビットが「０」とマークされると、前記呼接続の遮断が解除されることを特徴とする請求項３０に記載の移動通信端末機の呼接続方法。
【請求項３２】
移動通信端末機のユーザーが移動通信ネットワークを走行することにより発生する所定時間のハンドオフの回数をカウントして移動通信端末機の移動速度を検出し、前記検出された移動速度に応じて相手の呼接続を遮断するか、又は前記遮断を解除するように制御するマイクロプロセッサと、
移動通信端末機が相手との呼接続が遮断されるように設定された間受信された相手の呼情報が保存されるメモリと、
移動通信端末機が所定速度未満で移動する場合、前記メモリに保存された呼情報が存在することをユーザーに通知する通知装置と、
前記メモリに保存された呼情報を表示するディスプレイと、
相手との呼接続が遮断される移動通信端末機の所定移動速度を選択して入力し得るキーパッドと、
を含むことを特徴とする移動通信端末機の呼接続装置。
【請求項３３】
前記マイクロプロセッサが、
移動通信端末機の移動速度を検出する場合、所定時間の前記ハンドオフの発生回数が予め設定された基準値以上のとき、移動通信端末機が高速で移動すると判断して相手の呼接続要求信号に対して呼接続を遮断し、該当呼情報をメモリに保存するように制御することを特徴とする請求項３２に記載の移動通信端末機の呼接続装置。
【請求項３４】
前記マイクロプロセッサが、
移動通信端末機の移動速度を検出する場合、所定時間の前記ハンドオフの発生回数が予め設定された基準値未満のとき、移動通信端末機が低速で移動すると判断して相手の呼接続要求信号に対して呼接続の遮断を解除し、前記保存された呼情報をユーザーに通知するように制御することを特徴とする請求項３２に記載の移動通信端末機の呼接続装置。
【請求項３５】
前記通知装置が、警報音又はベルにより保存された呼情報が存在することをユーザーに通知するスピーカを含むことを特徴とする請求項３２に記載の移動通信端末機の呼接続装置。
【請求項３６】
前記通知装置が、振動により保存された呼情報が存在することをユーザーに通知するバイブレータを含むことを特徴とする請求項３２に記載の移動通信端末機の呼接続装置。
【発明の詳細な説明】
【技術分野】
【０００１】
本発明は、移動通信端末機（以下、端末機と略称す）に関し、特に、高速走行中のハンドオフを考慮した端末機の呼接続方法に関する。
【背景技術】
【０００２】
一般に、移動通信サービスが可能な移動通信ネットワーク内の端末機の通信状態は、アクセス状態（ａｃｃｅｓｓ  ｓｔａｔｅ）、アイドル状態（ｉｄｌｅ  ｓｔａｔｅ）、トラヒック状態（ｔｒａｆｆｉｃ  ｓｔａｔｅ）の３つに区分される。
【０００３】
前記３つの通信状態中、アクセス状態とは、基地局が外部呼に対する呼接続要求信号及び呼情報信号を前記呼接続が要求された端末機に伝送する状態をいい、ここで、前記呼接続要求信号とは、前記端末機と通話をするために外部の呼要求に対して基地局から伝送される信号をいう。前記呼情報信号は、基地局から前記呼接続要求信号の次に伝送され、その信号を端末機が受信すると、端末機のベルが鳴る。
【０００４】
また、アイドル状態とは、端末機が外部からいずれの呼要求も受けていない通話待機状態であり、トラヒック状態とは、端末機が前記呼情報信号を受信してベルが鳴る際に、ユーザーが端末機の通話ボタンを押して呼要求された相手との通話が可能な状態をいう。
【０００５】
移動通信ネットワークに適用される移動通信標準の種類によって、前記３つの通信状態が移動通信サービスの種類及び品質に影響を与える。移動通信ネットワークに適用される移動通信標準はＩＳ−９５ＡからＩＳ−９５Ｂに発展し、現在は、ＩＭＴ−２０００が商用化段階にある。前記ＩＳ−９５Ｂは、既存のＩＳ−９５Ａが１つの無線チャンネルのみを利用していたのに対して、最大８つの無線チャンネルを同時に割り当てる方式であり、より早いデータ転送が可能である。また、ＩＳ−９５Ｂは、高速データサービスの提供及び３段階の電力制御が可能であり、さらに、高速走行時もハンドオフ（ｈａｎｄｏｆｆ）可能に改善された。
【０００６】
前記ハンドオフとは、端末機のユーザーがある基地局から他の基地局に移動する過程で通話が途切れないようにする機能である。端末機のハンドオフとしては、基地局間に発生するソフトハンドオフ（ｓｏｆｔ  ｈａｎｄｏｆｆ）、交換機間に発生するのハードハンドオフ（ｈａｒｄ  ｈａｎｄｏｆｆ）、基地局内のセクター（ｓｅｃｔｏｒ）間に発生するソフターハンドオフ（ｓｏｆｔｅｒ  ｈａｎｄｏｆｆ）がある。前記ソフトハンドオフ（以下、ハンドオフと略称す）とは、第１基地局が端末機のユーザーの通話信号と接続されているとき、第２基地局が前記ユーザーの通話信号を受信すると、第１基地局と接続された既存の通話信号の接続が切れる方式である。特に、前記ハンドオフは、ＩＳ−９５Ｂの導入によって、アクセス状態でも可能になった。従って、高速で移動中のユーザーの端末機が前記信号を受信することにより、前記端末機のベルが鳴ると、ユーザーは、端末機の通話ボタンを押して呼接続を要求した相手と通話できる通話状態（トラヒック状態）になる。
【０００７】
しかしながら、高速運転中に外部呼によってベルが鳴るか又は振動が発生されると、運転中のユーザーの集中力が分散して、前記ユーザーが慌てるため、事故の危険がある。また、前記ユーザーが電話を受ける際に、瞬間的な不注意によって不慮の事故が発生する恐れがある。特に、これは、運転初心者には致命的な事故の原因になる可能性がある。
【０００８】
このような問題は、運転前に端末機の電源を切るか、又は消音モード（Ｍｕｔｅ  ｍｏｄｅ）に設定するなどの予防動作によって防止することもできる。しかしながら、この方法は、ユーザーがいつ、誰から電話が来たかを確認できないため、ユーザーの所望の通信サービスを受けることができないという問題点があった。また、ユーザーが前記予防動作を行なわずに車両を運転する場合、ユーザーには依然として事故の危険が存在するという問題点があった。
【発明の開示】
【発明が解決しようとする課題】
【０００９】
本発明は、このような問題点を解決するために提案されたもので、本発明の目的は、高速運転中のユーザーの端末機への外部呼の接続を自動で一時遮断して、前記呼情報を保存する方法及び装置を提供することにある。
【００１０】
また、本発明の他の目的は、車両が低速で走行するとき、前記保存された呼情報をユーザーに通知する方法及び装置を提供することにある。
【課題を解決するための手段】
【００１１】
このような目的を達成するために、本発明に係る移動通信端末機の呼接続方法は、移動通信端末機の移動速度を検出する過程と、前記移動通信端末機が一定速度以上で所定時間移動中の場合、呼接続を遮断して呼情報を保存する過程を含むことを特徴とする。
【００１２】
前記移動通信端末機の移動速度は、所定時間に発生するハンドオフ回数をカウントすることにより検出される。
【００１３】
また、前記保存された呼情報をユーザーに通知する過程をさらに含む。
【００１４】
前記保存された呼情報がユーザーに通知されると、呼接続の遮断が解除される過程をさらに含む。
【００１５】
また、前記呼情報は、前記移動通信端末機の移動によって発生するハンドオフの回数をカウントした値が、予め設定された基準値未満のときにユーザーに通知される。
【００１６】
前記ハンドオフは、隣接基地局の送信電力レベルの大きさがアクティブ基地局の送信電力レベルの大きさより３ｄＢ以上大きいときに発生する。
【００１７】
また、前記呼接続の遮断及び前記遮断の解除は、１つのビット（Ｆｌａｇ）で実行される。
【００１８】
前記ビットが「１」とマークされると、前記呼接続が遮断され、「０」とマークされると、前記呼接続の遮断が解除される。
【００１９】
上記目的を達成するために、本発明は、例えば、以下の手段を提供する。
（項目１）
移動通信端末機の移動速度を検出する過程と、
前記移動通信端末機が所定速度以上で所定時間移動中の場合、呼接続を遮断して呼情報を保存する過程と、
を含むことを特徴とする移動通信端末機の呼接続方法。
（項目２）
前記移動通信端末機の移動速度が、所定時間の間発生するハンドオフの回数をカウントすることにより検出されることを特徴とする項目１に記載の移動通信端末機の呼接続方法。
（項目３）
前記ハンドオフが、隣接基地局の送信電力レベルの大きさがアクティブ基地局の送信電力レベルの大きさより３ｄＢ以上大きいときに発生することを特徴とする項目２に記載の移動通信端末機の呼接続方法。
（項目４）
前記移動通信端末機の移動速度が、所定時間のハンドオフ発生回数をカウントした値が予め設定された基準値以上の際、高速に判断され、基準値未満の際、低速に判断されることを特徴とする項目１に記載の移動通信端末機の呼接続方法。
（項目５）
前記呼接続の遮断が、１つのビット（Ｆｌａｇ）により実行されることを特徴とする項目１に記載の移動通信端末機の呼接続方法。
（項目６）
前記ビットが「１」とマークされると、前記呼接続が遮断されることを特徴とする項目５に記載の移動通信端末機の呼接続方法。
（項目７）
前記呼情報が、呼接続を要求した電話番号、呼要求時間などを含むことを特徴とする項目１に記載の移動通信端末機の呼接続方法。
（項目８）
前記保存された呼情報がユーザーに通知されると、呼接続の遮断が解除される過程をさらに含むことを特徴とする項目１に記載の移動通信端末機の呼接続方法。
（項目９）
前記呼接続の遮断の解除が、１つのビット（Ｆｌａｇ）により実行されることを特徴とする項目８に記載の移動通信端末機の呼接続方法。
（項目１０）
前記ビットが「０」とマークされると、前記呼接続の遮断が解除されることを特徴とする項目９に記載の移動通信端末機の呼接続方法。
（項目１１）
前記保存された呼情報をユーザーに通知する過程をさらに含むことを特徴とする項目１に記載の移動通信端末機の呼接続方法。
（項目１２）
前記呼情報が、前記移動通信端末機の移動によって発生するハンドオフの回数をカウントした値が、予め設定された基準値未満のときにユーザーに通知されることを特徴とする項目１１に記載の移動通信端末機の呼接続方法。
（項目１３）
移動通信端末機の移動速度を判断して、所定速度以上で移動中の場合は相手の呼要求に対する接続を遮断して呼情報のみを保存し、前記移動通信端末機が所定速度未満で移動中のときに前記保存された情報をユーザーに通知することを特徴とする移動通信端末機の呼接続方法。
（項目１４）
前記相手の呼要求に対する接続が、所定時間に発生するハンドオフの回数をカウントして、前記カウントされた回数が予め設定された基準値以上の場合に自動で遮断されることを特徴とする項目１３に記載の移動通信端末機の呼接続方法。
（項目１５）
前記基準値が、ユーザーが設定して入力し得ることを特徴とする項目１４に記載の移動通信端末機の呼接続方法。
（項目１６）
前記ハンドオフが、隣接基地局の送信電力レベルの大きさがアクティブ基地局の送信電力レベルの大きさより３ｄＢ以上大きいときに発生することを特徴とする項目１４に記載の移動通信端末機の呼接続方法。
（項目１７）
前記呼接続の遮断が、１つのビット（Ｆｌａｇ）により実行されることを特徴とする項目１４に記載の移動通信端末機の呼接続方法。
（項目１８）
前記ビットが「１」とマークされると、前記呼接続が遮断されることを特徴とする項目１７に記載の移動通信端末機の呼接続方法。
（項目１９）
前記呼情報が、呼接続を要求した電話番号、呼要求時間などを含むことを特徴とする項目１３に記載の移動通信端末機の呼接続方法。
（項目２０）
前記保存された呼情報がユーザーに通知されると、呼接続の遮断が解除されることを特徴とする項目１３に記載の移動通信端末機の呼接続方法。
（項目２１）
前記呼接続の遮断の解除が、１つのビット（Ｆｌａｇ）により実行されることを特徴とする項目２０に記載の移動通信端末機の呼接続方法。
（項目２２）
前記ビットが「０」とマークされると、前記呼接続の遮断が解除されることを特徴とする項目２１に記載の移動通信端末機の呼接続方法。
（項目２３）
（ａ）移動通信端末機の移動によって所定時間に発生するハンドオフの回数をカウントする段階と、
（ｂ）前記ハンドオフの回数と予め設定された基準値とを比較する段階と、
（ｃ）前記ハンドオフの回数が前記予め設定された基準値以上の場合、外部の呼接続要求信号に対して呼接続を遮断する段階と、
（ｄ）前記呼接続の遮断中に外部の呼接続要求信号が受信されると、前記呼接続を遮断して該当呼情報を保存する段階と、
（ｅ）移動通信端末機の移動によって所定時間に発生するハンドオフの回数をカウントして予め設定された基準値と比較する段階と、
（ｆ）前記ハンドオフの回数が前記予め設定された基準値未満の場合、前記呼接続の遮断を解除する段階と、
（ｇ）前記呼接続の遮断を解除した後、前記保存された呼情報をユーザーに通知する段階と、
を含むことを特徴とする移動通信端末機の呼接続方法。
（項目２４）
前記ハンドオフが、隣接基地局の送信電力レベルの大きさがアクティブ基地局の送信電力レベルの大きさより３ｄＢ以上大きいときに発生することを特徴とする項目２３に記載の移動通信端末機の呼接続方法。
（項目２５）
前記基準値が、ユーザーによって設定し得ることを特徴とする項目２３に記載の移動通信端末機の呼接続方法。
（項目２６）
前記基準値が、移動通信端末機のユーザーが移動通信ネットワークを走行する場合、前記移動通信端末機の移動速度が所定速度以上に維持される際の所定時間に発生するハンドオフの回数を示すことを特徴とする項目２５に記載の移動通信端末機の呼接続方法。
（項目２７）
前記（ｃ）段階で、
前記呼接続遮断が、１つのビット（Ｆｌａｇ）により実行されることを特徴とする項目２３に記載の移動通信端末機の呼接続方法。
（項目２８）
前記ビットが「１」とマークされると、前記呼接続が遮断されることを特徴とする項目２７に記載の移動通信端末機の呼接続方法。
（項目２９）
前記（ｄ）段階で、
前記呼情報が、呼接続を要求した電話番号並びに、呼要求時間などを含むことを特徴とする項目２３に記載の移動通信端末機の呼接続方法。
（項目３０）
前記（ｆ）段階で、
前記呼接続の遮断の解除が、１つのビット（Ｆｌａｇ）により実行されることを特徴とする項目２３に記載の移動通信端末機の呼接続方法。
（項目３１）
前記ビットが「０」とマークされると、前記呼接続の遮断が解除されることを特徴とする項目３０に記載の移動通信端末機の呼接続方法。
（項目３２）
移動通信端末機のユーザーが移動通信ネットワークを走行することにより発生する所定時間のハンドオフの回数をカウントして移動通信端末機の移動速度を検出し、前記検出された移動速度に応じて相手の呼接続を遮断するか、又は前記遮断を解除するように制御するマイクロプロセッサと、
移動通信端末機が相手との呼接続が遮断されるように設定された間受信された相手の呼情報が保存されるメモリと、
移動通信端末機が所定速度未満で移動する場合、前記メモリに保存された呼情報が存在することをユーザーに通知する通知装置と、
前記メモリに保存された呼情報を表示するディスプレイと、
相手との呼接続が遮断される移動通信端末機の所定移動速度を選択して入力し得るキーパッドと、
を含むことを特徴とする移動通信端末機の呼接続装置。
（項目３３）
前記マイクロプロセッサが、
移動通信端末機の移動速度を検出する場合、所定時間の前記ハンドオフの発生回数が予め設定された基準値以上のとき、移動通信端末機が高速で移動すると判断して相手の呼接続要求信号に対して呼接続を遮断し、該当呼情報をメモリに保存するように制御することを特徴とする項目３２に記載の移動通信端末機の呼接続装置。
（項目３４）
前記マイクロプロセッサが、
移動通信端末機の移動速度を検出する場合、所定時間の前記ハンドオフの発生回数が予め設定された基準値未満のとき、移動通信端末機が低速で移動すると判断して相手の呼接続要求信号に対して呼接続の遮断を解除し、前記保存された呼情報をユーザーに通知するように制御することを特徴とする項目３２に記載の移動通信端末機の呼接続装置。
（項目３５）
前記通知装置が、警報音又はベルにより保存された呼情報が存在することをユーザーに通知するスピーカを含むことを特徴とする項目３２に記載の移動通信端末機の呼接続装置。
（項目３６）
前記通知装置が、振動により保存された呼情報が存在することをユーザーに通知するバイブレータを含むことを特徴とする項目３２に記載の移動通信端末機の呼接続装置。
【発明の効果】
【００２０】
本発明に係る端末機は、高速運転中のユーザーの端末機が外部の呼接続を自動遮断するため、ユーザーの集中力が分散することを防止し、ユーザーの安全運転を確保し得るという効果がある。
【００２１】
また、前記自動遮断された呼情報は、前記記憶装置に保存されて、ユーザーの車両が低速度で走行するときに確認することができるという効果がある。
【発明を実施するための最良の形態】
【００２２】
本発明は、移動通信端末機において実現されるが、他の標準に従って動作する無線通信システムにも適用できる。
【００２３】
本発明は、ユーザーの安全運転を確保するために、車両が高速で走行するときは呼接続を自動遮断して呼情報を保存しておき、車両を止めるか、又は、低速で走行するときは、前記呼情報をユーザーに通知する方法及び装置を提案する。
【００２４】
このように、本発明に係る呼接続方法を実現する端末機は、ソフトウェアとして前記方法を実行するコンピュータプログラムと該コンピュータプログラムの演算及びその他の装置を制御するマイクロプロセッサ（ＭｉｃｒｏＰｒｏｃｅｓｓｏｒ  Ｕｎｉｔ：  ＭＰＵ）と、前記呼接続方法を設定又は解除する入力装置としてのキーパッドと、出力装置としてのＬＣＤと、前記コンピュータプログラム及び呼情報を保存する記憶装置とを含む基本的なハードウェアで構成される。
【００２５】
図４は、本発明に係る端末機の概略的構成を示す構成図である。
【００２６】
図示されたように、本発明に係る端末機は、移動通信ネットワークの基地局から伝送される信号を受信する端末機のアンテナ４１０と、端末機のユーザーが移動通信ネットワークを走行することにより発生する所定時間の間ハンドオフの回数をカウントして演算し、その演算により端末機の移動速度を検出し、前記検出された端末機の移動速度によって相手の呼接続要求を遮断又は該遮断を解除すべく制御するマイクロプロセッサ４２０と、端末機が呼接続の遮断中に受信した相手の呼接続要求に対する該当呼情報が保存されるメモリ４３０と、メモリ４３０に保存された呼情報が存在することをユーザーに通知する通知装置４４０と、メモリ４３０に保存された呼情報を表示するディスプレイ４５０と、呼接続が自動で遮断される端末機の移動速度に該当するハンドオフ回数の基準値をユーザーが直接選択して入力し得るキーパッド４６０とを含む。
【００２７】
また、マイクロプロセッサ４２０は、端末機の移動速度の検出時、所定時間の間発生するハンドオフの回数が予め設定された基準値以上のとき、端末機が高速で移動していると判断して相手の呼接続要求信号に対して呼接続を自動で遮断し、該当呼情報をメモリに保存する。また、端末機が高速走行して呼接続が自動で遮断された状態で、マイクロプロセッサ４２０は、所定時間の間発生する端末機のハンドオフ回数が予め設定された基準値未満のとき、端末機が低速で移動していると判断して、遮断された呼接続を自動で解除し、メモリに保存された該当呼情報をユーザーに通知する。
【００２８】
また、前記通知装置４４０は、ユーザーに保存された呼情報が存在することを警報音（又は、ベル）で通知するスピーカと、振動で通知するバイブレータを含む。
【００２９】
以下、このように構成された本発明に係る端末機の呼接続方法の具体的な動作を説明する。
【００３０】
図１は、本発明の一実施形態による高速走行中の端末機の呼接続方法を示す概略的動作順序図である。
【００３１】
図１を参照すると、ユーザーは、端末機の「携帯電話管理」のメニューから「安全運転モード」を設定又は解除することができ、このような前記安全運転モードは、デフォルト（Ｄｅｆａｕｌｔ）状態として予め選択されて設定された状態である（Ｓ１０）。
【００３２】
このような安全運転モードが設定された状態で、高速運転中に外部から呼接続要求信号が受信されると（Ｓ２０）、ユーザーの端末機は呼接続遮断機能を自動で設定し（Ｓ３０）、相手の呼を直ちに接続せずに相手の電話番号及び呼要求時間を記憶装置に保存する（Ｓ４０）。次に、前記ＭＰＵは、ユーザーが車両を止めるか、又は低速で運転することにより安全運転が確保されたとき、前記保存された呼情報をユーザーに警報音（Ｂｅｅｐ）又は振動によって通知する（Ｓ６０）。
【００３３】
図２は、本発明の一実施形態による高速走行中の端末機の呼接続方法を示す動作順序図であり、図３は、本発明の一実施形態による所定時間の間発生するハンドオフを示す図である。
【００３４】
以下、図１〜図４を参照して、本発明に係る端末機の呼接続方法を詳細に説明する。
【００３５】
すなわち、運転中のユーザーの端末機の移動速度を検出するために、まず該当変数値が初期化（Ｆｌａｇ＝０，  Ｃｏｕｎｔ＝０）される（Ｓ１００）。前記端末機の移動速度は、所定時間の間移動通信ネットワークを運転中に発生するユーザーの端末機のハンドオフ回数を検出することにより判断される（Ｓ２００、Ｓ４００）。
【００３６】
例えば、ユーザーの端末機がアクティブ基地局に該当第１セルから隣接基地局に該当第２セルに移動している場合、第１セルの基地局の送信電力レベルは第２セルの基地局の中心部へ近づくほど小さくなり、第２セルの基地局の送信電力レベルは大きくなる。次いで、第２セルの基地局の送信電力レベルの大きさが第１セルの基地局の送信電力レベルの大きさより３ｄＢ以上大きくなると、ハンドオフが発生し（Ｓ２１０）、ハンドオフ発生回数（Ｃｏｕｎｔ＝１）がカウントされる（Ｓ２２０）。
【００３７】
次いで、過程Ｓ２１０、Ｓ２２０に示されたように、第２セルから第３セルに、第３セルから第４セルに、また、第４セルから第５セルまでユーザーの車両が走行し続けると、ユーザーの端末機に継続してハンドオフが発生し（Ｓ２１０）、また、ハンドオフ回数もカウントされる（Ｓ２２０）。従って、ユーザーの端末機は、第１セルから第５セルに移動するＸ時間の間総４回のハンドオフが発生し、ハンドオフカウント値が４となる（Ｓ２２０）。また、前記カウント値（Ｃｏｕｎｔ＝４）を端末機の移動速度が高速であると判断されるハンドオフカウント値（Ｙ＝３）と比較し、前記カウント値（ｃｏｕｎｔ＝４）がＹ値（Ｙ＝３）と同様又は大きいと、前記ユーザーの端末機が高速で走行していると判断される（Ｓ２３０）。ここで、前記Ｙ値は、移動通信ネットワークを走行中のユーザーの端末機の移動速度を実験によって検出した値である。すなわち、所定基準時間の間発生するハンドオフ回数に該当する端末機の移動速度を検出したものである。また、前記Ｙ値は、ユーザーが任意で設定することができるので、自分が所望する速度で過程Ｓ２３０を実行させることができる。
【００３８】
次に、過程Ｓ２３０で、ユーザーの車両が高速で走行中であると判断されると、ユーザーの安全運転のために前記端末機のＭＰＵは外部の呼接続要求に対して該呼接続の遮断を自動で設定し、前記呼情報を保存する（Ｓ３００）。Ｓ３００を詳細に説明すると、前記ＭＰＵは、フラグ（Ｆｌａｇ）を１に設定して（Ｓ３１０）外部の呼接続要求信号の受信時に呼をユーザーの端末機に直ちに接続せずに前記呼の電話番号及び要求時間などの情報を前記記憶装置に保存する（Ｓ３２０）。
【００３９】
このように、過程Ｓ２００、Ｓ３００を経て前記変数値「Ｃｏｕｎｔ」は「４」になり、前記変数「Ｆｌａｇ」は「１」になる。その後、前記各変数値（Ｃｏｕｎｔ＝４，  Ｆｌａｇ＝１）は次の過程にフィードバックされてハンドオフカウント値が初期化され、前記各変数の値（Ｃｏｕｎｔ＝４，  Ｆｌａｇ＝１）が再設定される（Ｓ１２０）。ここで、フラグ（Ｆｌａｇ）の値は依然として「１」に設定された状態であるため、図１に示すように、呼接続遮断が設定された状態と同様となる（Ｓ３０）。従って、ユーザーの端末機が相手の呼接続要求信号が受信されてもその呼がユーザーの端末機に接続されずに、単にその呼情報のみが前記記憶装置４３０に保存される
前記車両の低速度判断過程（Ｓ４００）は、前記ユーザーの端末機の移動速度を判断する過程（Ｓ２００）と同様である。すなわち、移動通信ネットワーク内の基地局を通過して移動中の端末機は、ハンドオフの発生を判断する過程（Ｓ２１０）と前記発生したハンドオフ回数をカウントする過程（Ｓ２２０）と同様に、ハンドオフ発生を判断（Ｓ４１０）し、前記ハンドオフ発生回数をカウントする（Ｓ４２０）。所定基準時間（Ｘ時間）の間発生する前記端末機のハンドオフカウント値（例えば、Ｃｏｕｎｔ＝２）が予め設定された基準値（Ｙ＝３）より小さいと（Ｓ４３０）、前記端末機の移動速度が低速と判断され、前記保存された呼情報が警報音や振動でユーザーに通知される（Ｓ５１０）。その後、フラグが「０」に再設定されることにより、ユーザーの端末機の呼接続の遮断機能が自動で解除される（Ｓ５２０）。従って、図２に示すように、外部の呼接続要求信号が受信されると（Ｓ２０）、直ちにユーザーの端末機が呼接続のための情報信号を受信し、ユーザーはベル又は振動音を確認して相手の呼に応じて電話を受けることができる（Ｓ３０、Ｓ５０）。
【００４０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４１】
高速運転中のユーザーの端末機への外部呼の接続を自動で遮断して、前記呼情報を保存し、低速運転時に、前記保存された呼情報をユーザーに通知する方法を提供する。
【００４２】
移動通信端末機の呼接続方法は、移動通信端末機の移動速度を判断する過程と、前記移動通信端末機が高速で移動中の場合、呼接続を遮断して呼情報のみを保存する過程と、前記保存された呼情報をユーザーに通知する過程と、を含む。
【図面の簡単な説明】
【００４３】
【図１】本発明の一実施形態による高速走行中端末機の呼接続方法を示す動作順序図である。
【図２】本発明の一実施形態による高速走行中端末機の呼接続方法を示す動作順序図である。
【図３】本発明の一実施形態による所定時間の間発生するハンドオフを示す図である。
【図４】本発明に係る呼接続方法を実現する移動通信端末機の概略的な構成図である。
【図１】
2006014300.tif 000003
【図２】
2006014300.tif 000004
【図４】
2006014300.tif 000005
【図３】
2006014300.tif 000006